(57)【要約】【課題】充電が中断された場合に使用者に充電の再開を促してバッテリ不足になることを防止する。【解決手段】充電制御部２２は、電池部１１への充電を制御するとともに、電池部１１の充電状態、電池残量、充電中断時の電池残量、充電完了予測時間などを管理する。ＣＰＵ部２３は、充電中断が検出されると、アプリケーションの実行状況、ユーザ操作に応じて、ユーザの利便性を損なうことなく、所定のタイミングで、再充電を促す充電中断メッセージをメイン表示部５に表示する。充電中断メッセージでは、再充電を促すメッセージを表示するとともに、より詳細で、かつ一見して認識できるように、現在の電池残量、充電中断時の電池残量などを表示する。【選択図】図２
2011250652.tif 000002
【特許請求の範囲】
【請求項１】
充電可能な電池部を備える電子機器であって、
前記電池部への充電を制御するとともに、前記電池部の充電状態を検出する充電制御手段と、
前記充電制御手段によって前記電池部への充電が中断されたことが検出されると、当該電子機器の動作状態に応じた所定のタイミングで、前記電池部への充電が中断された旨を報知する報知手段と
を備えることを特徴とする電子機器。
【請求項２】
表示手段を更に備え、
前記報知手段は、
前記充電制御手段によって前記電池部への充電が中断されたことが検出されると、当該電子機器の動作状態に応じた所定のタイミングで、前記電池部への充電が中断された旨を表す充電中断メッセージを前記表示手段に表示することを特徴とする請求項１に記載の電子機器。
【請求項３】
前記報知手段は、
前記充電制御手段によって前記電池部への充電が中断されたことが検出されると、前記充電制御手段から前記電池部の充電状態を取得し、当該電子機器の動作状態に応じた所定のタイミングで、前記充電中断メッセージとともに、前記電池部の充電状態を前記表示手段に表示することを特徴とする請求項２に記載の電子機器。
【請求項４】
前記報知手段は、
前記充電制御手段によって前記電池部への充電が中断された時点で、何らかのアプリケーションが実行されている場合、あるいは、所定の時間内に何らかのアプリケーションが実行された場合、前記アプリケーション実行終了後に、前記充電中断メッセージとともに、前記電池部の充電状態を前記表示手段に表示し、
前記充電制御手段によって前記電池部への充電が中断された際に、何らかのアプリケーションが実行されていない場合、ユーザの何らかの操作時点で、前記充電中断メッセージとともに、前記電池部の充電状態を前記表示手段に表示する
ことを特徴とする請求項３に記載の電子機器。
【請求項５】
前記電池部の充電状態は、少なくとも、現在の電池残量、充電中断時の電池残量を含むことを特徴とする請求項３または４に記載の電子機器。
【請求項６】
充電可能な電池部を備える電子機器のコンピュータに、
前記電池部への充電を制御するとともに、前記電池部の充電状態を検出する充電制御機能、
前記充電制御機能によって前記電池部への充電が中断されたことが検出されると、当該電子機器の動作状態に応じた所定のタイミングで、前記電池部への充電が中断された旨を報知する報知機能
を実行させることを特徴とするプログラム。
【発明の詳細な説明】
【技術分野】
【０００１】
本発明は、電子機器、及びプログラムに関する。
【背景技術】
【０００２】
従来、充電可能な二次電池を備え、該二次電池により駆動する電子機器では、使用中にバッテリ切れとならないように、現在の電池残量をユーザに通知するようになっている。例えば、従来技術としては、現在の電池残量を電池残量によって変化するアイコンなど、一見して容易に認識できるように図柄を表示する技術が提案されている（例えば特許文献１参照）。
【０００３】
また、他の従来技術としては、携帯電話などの電子機器において、着信時に電池残量の減少を通知することで、使用者に対して通話時間の短縮を促すなどし、充電を促すアラームの通知頻度を抑える技術が提案されている（例えば特許文献２参照）。また、他の従来技術としては、電池残量無しとなる時刻を推定し、電池残量無しとなる時刻を事前に、ユーザが充電可能となるタイミングで通知する技術が提案されている（例えば特許文献３参照）。
【先行技術文献】
【特許文献】
【０００４】
【特許文献１】特開２００２−３６５３４８号公報
【特許文献２】特開２００１−３３３５３８号公報
【特許文献３】特開２００９−１２４４６６号公報
【発明の概要】
【発明が解決しようとする課題】
【０００５】
ところで、携帯電話などの電子機器では、不特定のタイミングで着信、メール受信などが発生する。そのため、充電中に発生した着信や、メール受信などに対応するためには、一旦、充電を中断し、対応する機能（アプリケーション）を起動するようになっている。このように、充電を一旦中断した場合、対応完了後に使用者が充電中であったことを失念し、充電を再開しない場合が考えられる。
【０００６】
また、充電中に、使用者がインターネットアクセスや、スケジュール管理のために何らかのアプリケーションを使用するために、意図的に充電を中断する場合も考えられる。この場合も、アプリケーション終了後、充電中であったことを失念して、充電を再開しない場合が考えられる。
【０００７】
しかしながら、従来技術による携帯電話などの電子機器では、上述したような充電中断された場合でも、現在の電池残量や、充電残量無しとなる時刻を通知するだけであり、ユーザが充電再開を失念する可能性は残されたままである。充電が中断されたままとなると、通常の使用時にバッテリ不足となって使用できなくなるという問題がある。
【０００８】
そこで本発明は、充電が中断された場合に使用者に充電の再開を促し、通常の使用時にバッテリ不足になることを防止することができる電子機器、及びプログラムを提供することを目的とする。
【課題を解決するための手段】
【０００９】
上記目的達成のため、請求項１記載の発明は、充電可能な電池部を備える電子機器であって、前記電池部への充電を制御するとともに、前記電池部の充電状態を検出する充電制御手段と、前記充電制御手段によって前記電池部への充電が中断されたことが検出されると、当該電子機器の動作状態に応じた所定のタイミングで、前記電池部への充電が中断された旨を報知する報知手段とを備えることを特徴とする電子機器である。
【００１０】
また、好ましい態様として、例えば請求項２記載のように、請求項１に記載の電子機器において、表示手段を更に備え、前記報知手段は、前記充電制御手段によって前記電池部への充電が中断されたことが検出されると、当該電子機器の動作状態に応じた所定のタイミングで、前記電池部への充電が中断された旨を表す充電中断メッセージを前記表示手段に表示するようにしてもよい。
【００１１】
また、好ましい態様として、例えば請求項３記載のように、請求項２に記載の電子機器において、前記報知手段は、前記充電制御手段によって前記電池部への充電が中断されたことが検出されると、前記充電制御手段から前記電池部の充電状態を取得し、当該電子機器の動作状態に応じた所定のタイミングで、前記充電中断メッセージとともに、前記電池部の充電状態を前記表示手段に表示するようにしてもよい。
【００１２】
また、好ましい態様として、例えば請求項４記載のように、請求項３に記載の電子機器において、前記報知手段は、前記充電制御手段によって前記電池部への充電が中断された時点で、何らかのアプリケーションが実行されている場合、あるいは、所定の時間内に何らかのアプリケーションが実行された場合、前記アプリケーション実行終了後に、前記充電中断メッセージとともに、前記電池部の充電状態を前記表示手段に表示し、前記充電制御手段によって前記電池部への充電が中断された際に、何らかのアプリケーションが実行されていない場合、ユーザの何らかの操作時点で、前記充電中断メッセージとともに、前記電池部の充電状態を前記表示手段に表示するようにしてもよい。
【００１３】
また、好ましい態様として、例えば請求項５記載のように、請求項３または４に記載の電子機器において、前記電池部の充電状態は、少なくとも、現在の電池残量、充電中断時の電池残量を含むようにしてもよい。
【００１４】
また、上記目的達成のため、請求項６記載の発明は、充電可能な電池部を備える電子機器のコンピュータに、前記電池部への充電を制御するとともに、前記電池部の充電状態を検出する充電制御機能、前記充電制御機能によって前記電池部への充電が中断されたことが検出されると、当該電子機器の動作状態に応じた所定のタイミングで、前記電池部への充電が中断された旨を報知する報知機能を実行させることを特徴とするプログラムである。
【発明の効果】
【００１５】
この発明によれば、するようにしたので、することができるという利点が得られる。
【図面の簡単な説明】
【００１６】
【図１】本発明の実施形態に係る携帯電話１の蓋を開いた状態と閉じた状態を示す外観図である。
【図２】本実施形態による携帯電話１の構成を示すブロック図である。
【図３】本実施形態による携帯電話の充電制御部２２により管理される情報を説明するための概念図である。
【図４】本実施形態による携帯電話１の動作を説明するためのフローチャートである。
【図５】本実施形態による携帯電話１での充電中断メッセージの例を示す模式図である。
【図６】本実施形態による、充電中断を示すアイコン３０や、電池残量メータ３３などの詳細な例を示す模式図である。
【発明を実施するための形態】
【００１７】
以下、本発明の実施の形態を、図面を参照して説明する。
【００１８】
図１（ａ）〜（ｃ）は、本発明の実施形態に係る携帯電話１の蓋を開いた状態と閉じた状態を示す外観図である。図１（ａ）には、携帯電話１の蓋を開いた状態を示し、図１（ｂ）には、携帯電話１の蓋を閉じた状態（蓋側）を示し、図１（ｃ）には、携帯電話１の蓋を閉じた状態（裏面側）を示している。携帯電話１は、蓋部２と本体部３とからなる二つ折り構造である。
【００１９】
図１（ａ）において、スピーカ４は、蓋部２の前面側に設けられており、電話モードにおける通話時には音声出力を行う。メイン表示部５は、カラー液晶であり、ＱＶＧＡの解像度を有し、撮像した画像、動画やダウンロードした画像、動画を表示可能となっている。キー部６は、各種機能キーや、テンキーなどからなる。マイク部７は、本体部３の下部に設けられており、通話時における音声入力を行う。
【００２０】
図１（ｂ）において、サブ表示部８は、蓋部の背面に設けられており、携帯電話１が閉じられた状態において、日時表示や、着信報知、メール着信報知、静止画や動画撮影時の補助画面などに用いられる。アンテナ９は、本体部の背面に設けられており、伸縮自在となっている。
【００２１】
図１（ｃ）において、充電端子部１０−１は、充電台（不図示）に携帯電話１が装着された際、充電台を経由して電池部（充電池）１１を充電させるためのものである。外部接続端子１０−２は、充電端子部１０と同様、外部のＡＣアダプタの充電端子が接続され、ＡＣアダプタから直接、電池部（充電池）１１を充電させるためのものである。
【００２２】
図２は、本実施形態による携帯電話１の構成を示すブロック図である。なお、図１に対応する部分には同一の符号を付けている。無線制御部２０は、無線によりアンテナ９を介して音声やデータ（メールデータ）を送受し変調／復調するなど、ＰＳＫ方式に基づく変復調、ＣＤＭＡ方式に基づく端末認証処理を含む通信処理を行う。
【００２３】
メモリ部２１は、当該携帯電話において、主に無線通信処理全般を制御するための基本システムプログラムを格納するシステムＲＯＭや、アドレス帳データ、メールデータ等、電話モードにて使用するデータや、カメラモードにて撮影された画像データ、動画データ等、機器内で生成される各種データを記憶するＲＡＭなどからなる。
【００２４】
充電制御部２２は、外部接続端子・充電端子部（充電端子部１０−１、外部接続端子１０−２）１０を介して供給される充電電圧により電池部１１への充電を制御するとともに、電池部１１の充電状態、電池残量、充電中断時の電池残量、充電完了予測時間などを管理する。
【００２５】
ＣＰＵ部２３は、メモリ部２１に格納されているシステムプログラムや、各種アプリケーションプログラムなどを実行し、各種機能を実行する。特に、本実施形態では、ＣＰＵ部２３は、充電状態の検知、充電中断に対する処理を実行する。
【００２６】
図３は、本実施形態による携帯電話の充電制御部２２により管理される情報を説明するための概念図である。上述したように、充電制御部２２は、電池部１１への充電を制御するとともに、電池部１１の充電状態、電池残量、充電中断時の電池残量、充電完了予測時間、充電中断アプリ名を管理する。
【００２７】
図示するように、充電状態は、「０：充電中でない、１：充電中、２：充電中断」を示す。電池残量は、０〜１００（ＦＵＬＬ）％の値で、電池部１１の電池残量を示す。また、充電中断時の電池残量は、０〜１００（ＦＵＬＬ）％の値で、充電が中断された時点での電池部１１の電池残量を示す。充電完了予測時間は、電池残量から求めた、０〜６３（５分単位）の値で、電池部１１がＦＵＬＬ充電されるまでの予測時間を示す。充電中断アプリ名は、充電中断の要因となったアプリケーション名であり、アプリケーション毎に設定されている数値により示される。
【００２８】
充電制御部２２は、所定の時間間隔、あるいは所定のタイミングで、上記電池部１１の充電状態、電池残量、充電中断時の電池残量、充電完了予測時間、充電中断アプリ名を更新し、常に最新の情報とする。なお、該充電中断アプリ名は、ＣＰＵ部２３により管理されるようにしてもよい。アプリケーションとしては、音声通話の着信、メール受信通知、アラーム起動、ウェブブラウザなどがある。
【００２９】
次に、本実施形態による携帯電話１の動作について説明する。但し、以下では、音声通話やメール受信など、通常の携帯電話の機能については説明を省略し、充電中断に係る動作に付いてのみ説明する。
【００３０】
図４は、本実施形態による携帯電話１の動作を説明するためのフローチャートである。該フローチャートは、電池部１１への充電中、充電中断時に実行される。ＣＰＵ部２３は、充電制御部２２から電池状態を取得する（ステップＳ１０）。ＣＰＵ部２３は、取得した電池状態から充電が中断されたか否かを判断する（ステップＳ１２）。そして、充電中断されていない場合には（ステップＳ１２のＮＯ）、ステップＳ１０に戻る。一方、充電が中断された場合には（ステップＳ１２のＹＥＳ）、ＣＰＵ部２３は、充電制御部２２から充電中断時の電池残量を取得する（ステップＳ１４）。次に、ＣＰＵ部２３は、何らかのアプリケーションが実行されているか否かを判断する（ステップＳ１６）。
【００３１】
そして、何らかのアプリケーションが実行されている場合には（ステップＳ１６のＹＥＳ）、そのアプリケーション名を取得し、図３に示す充電中断アプリ名として保存する（ステップＳ１８）。次に、現在実行されているアプリケーションが終了したか否かを判断する（ステップＳ２０）。アプリケーションが終了していない場合には（ステップＳ２０のＮＯ）、ステップＳ２０を繰り返し、アプリケーションが終了すると（ステップＳ２０のＹＥＳ）、ＣＰＵ部２３は、充電制御部２２から電池残量、充電中断時の電池残量、充電完了予測時間を取得する（ステップＳ２２）。次に、充電が中断されたことや、充電完了予測時間、充電中断時の電池残量、現在の電池残量、中断要因となったアプリケーション名が示された充電中断メッセージをメイン表示部５に表示する（ステップＳ２４）。
【００３２】
ここで、充電中におけるアプリケーションの実行とそのアプリケーションの終了について簡単に説明する。例えば、充電中に着信があった場合には、充電が自動的に中断され、音声通話に係るアプリケーションが自動的に実行されることになる。その後、ユーザが音声通話を行うべく操作を行い、通話終了後、回線を切断すると、その時点で当該アプリケーションが終了となる。そして、アプリケーションが終了した時点で、メイン表示部５に、充電中断メッセージが表示される。ユーザは、アプリケーション終了後に、充電中断メッセージを確認することになるので、充電中であったことを失念することなく、充電を再開させることが可能となる。
【００３３】
一方、充電中断時に、アプリケーションが実行されていなかった場合には（ステップＳ１６のＮＯ）、ＣＰＵ部２３は、所定の時間Ｔ１（例えば、５分）が経過したか否かを判断する（ステップＳ２６）。そして、所定の時間Ｔ１が経過していない場合には（ステップＳ２６のＮＯ）、ステップＳ１６に戻り、アプリケーションの実行有無を判断する。そして、所定の時間Ｔ１が経過する前にアプリケーションが実行された場合には（ステップＳ１６のＹＥＳ）、上述したステップＳ１８〜ステップＳ２４を実行する。
【００３４】
つまり、充電中断時に、既に何らかのアプリケーション（音声通話の着信や、メール受信など、ユーザ意図に関係なく実行されるアプリケーション）が実行されている場合や、充電中断時には、アプリケーションは実行されていなかったが、所定の時間Ｔ１内に何らかのアプリケーションが実行された場合には、そのアプリケーションの終了時点で、充電中断メッセージを表示することで、再充電の必要性を知らせることになる。ユーザは、アプリケーション終了後に、再充電が必要なことを知ることができ、そして、再充電するか、充電しないかを選択することができる。
【００３５】
一方、所定の時間Ｔ１が経過しても、何らアプリケーションが実行されない場合には（ステップＳ２６のＹＥＳ）、例えば、携帯電話１をオープンしたとか、キー部６が操作されたとか、何らかのユーザ操作があったか否かを判断する（ステップＳ２８）。そして、ユーザ操作がない場合には（ステップＳ２８のＮＯ）、（ステップＳ２８でＹＥＳになってから）所定の時間Ｔ２（例えば、１０分）が経過したか否かを判断する（ステップＳ３０）。
【００３６】
そして、所定の時間Ｔ２が経過していない場合には（ステップＳ３０のＮＯ）、ステップＳ２８に戻り、ユーザ操作の実行有無を判断する。そして、所定の時間Ｔ２が経過する前にユーザ操作があった場合には（ステップＳ２８のＹＥＳ）、ＣＰＵ部２３は、充電制御部２２から電池残量、充電中断時の電池残量、充電完了予測時間を取得し（ステップＳ３２）、充電が中断されたことや、充電完了予測時間、充電中断時の電池残量、現在の電池残量が示された充電中断メッセージをメイン表示部５に表示する（ステップＳ３４）。
【００３７】
つまり、ユーザが何らかの意図で充電を中断したにもかかわらず、すぐにアプリケーションを起動することなく（本実施形態では、少なくとも充電中断からＴ１以上の時間が経過している）、何らかの操作（この場合、携帯電話１をオープンか、アプリケーションの起動）を行った場合には、その時点で、充電中断メッセージを表示することで、再充電の必要性を知らせることになる。ユーザは、何らかの操作を行った時点で、再充電が必要なことを知ることができ、そして、再充電するか、充電しないかを選択することができる。
【００３８】
一方、所定の時間Ｔ２が経過しても、ユーザ操作がない場合には（ステップＳ３０のＹＥＳ）、携帯電話１がオープンもされていないので、ＣＰＵ部２３は、充電制御部２２から電池残量、充電中断時の電池残量、充電完了予測時間を取得し（ステップＳ３６）、充電が中断されたことや、充電完了予測時間、充電中断時の電池残量、現在の電池残量が示された充電中断メッセージをサブ表示部８に表示する（ステップＳ３４）。
【００３９】
つまり、ユーザが何らかの意図で充電を中断したにもかかわらず、アプリケーションも起動せず、何らの操作もしない場合には（本実施形態では、少なくとも充電中断からＴ１＋Ｔ２の時間が経過している）、再充電を失念している可能性が高いので、サブ表示部８に充電中断メッセージを表示することで、再充電の必要性を知らせることになる。ユーザは、何らかの操作を行った時点で、再充電が必要なことを知ることができ、そして、再充電するか、充電しないかを選択することができる。
【００４０】
なお、携帯電話１が開かれた状態であるか、閉じられた状態であるかは、既存の技術で検知することが可能である。このように、携帯電話１が開かれた状態であるか、閉じられた状態であるかを検知できる場合には、その状態に応じて、メイン表示部５に表示するか、サブ表示部８に表示するかを振り分けるようにしてもよい。
【００４１】
いずれの場合も、充電中断メッセージの表示後、ＣＰＵ部２３は、充電制御部２２から充電状態を取得し、充電が再開されたか否かを判断し（ステップＳ４０）、充電が再開されていない場合には、ステップＳ２８に戻り、上述したステップＳ２８〜Ｓ３８を繰り返し実行する。すなわち、充電中断メッセージを表示したにもかかわらず、再充電されない場合には、所定の時間Ｔ２（１０分）以内に、ユーザ操作があった場合には、該ユーザ操作があった時点で、ユーザ操作がなかった場合には、所定の時間Ｔ２間隔で、充電中断メッセージを表示することで、再充電の必要性を知らせることになる。
【００４２】
図５（ａ）、（ｂ）は、本実施形態による携帯電話１での充電中断メッセージの例を示す模式図である。図５（ａ）は、充電中断時に、既に何らかのアプリケーション（音声通話の着信や、メール受信など、ユーザ意図に関係なく実行されるアプリケーション）が実行されている場合や、充電中断時には、アプリケーションは実行されていなかったが、所定の時間Ｔ１内に何らかのアプリケーションが実行された場合に、そのアプリケーションの終了時点で、メイン表示部５に表示される充電中断メッセージの一例である。
【００４３】
メイン表示部５の上部には、充電が中断されたことを示すアイコンが、電池の充電レベルを簡易的に示すアイコン（３つのブロックの点灯で充電レベルを表す）に代えて表示される。また、メイン表示部５には、充電が中断されたので、充電再開を促すメッセージ３１、充電中断の要因であるアプリケーション名３２、電池残量メータ３３などが表示される。
【００４４】
一方、図５（ｂ）は、ユーザが何らかの意図で充電を中断したにもかかわらず、すぐにアプリケーションを起動することなく、何らかの操作（この場合、携帯電話１をオープンか、アプリケーションの起動）を行った場合に、その時点で表示される、メイン表示部５に表示される充電中断メッセージの一例である。基本的に、図５（ａ）と変わらないが、この場合には、充電中断の要因であるアプリケーション名３２は表示されない。
【００４５】
なお、図５（ａ）、（ｂ）には、メイン表示部５の下部に、「充電中断状態を継続する」、「充電中断状態を中止する」という選択肢（ボタン）３４、３５が表示されている。前述した図４に示すフローチャートでは、充電再開を自動的に検出するとして説明したが、図示の例では、ユーザによって充電再開の有無を選択することを可能にしたものである。
【００４６】
図６（ａ）〜（ｃ）は、本実施形態による、充電中断を示すアイコン３０や、電池残量メータ３３などの詳細な例を示す模式図である。図６（ａ）には、上述した充電中断を示すアイコン３０が示されている。充電中断を示すアイコン３０は、３つのブロックの点灯で充電レベルを表す通常のアイコン上に、「禁止」等の意味を表すマークを重ねたものであり、一見して電池部１１の充電状態をユーザに知らしめることができる。また、図６（ｂ）に示すように、電池部１１が満充電（ＦＵＬＬ）されている場合には、満充電（ＦＵＬＬ）ことを示すアイコン４０を表示するようにしてもよい。
【００４７】
上述したように、従来、３つのブロックの点灯で充電レベルを表すアイコンが用いられてきた。しかしながら、実際には、電池部１１の充電レベルは、１つのブロックを点灯する「レベル１」、２つのブロックを点灯する「レベル２」、３つのブロックを点灯する「レベル３」のそれぞれで充電レベルに幅を持っている。特に、３つのブロックを点灯する「レベル３」は、満充電（ＦＵＬＬ充電）を表しているとは限らない。
【００４８】
そこで、本実施形態では、充電中断された場合に表示する、再充電を促す充電中断メッセージに、図６（ｃ）に示すような、電池残量レベル上に、現在の電池残量を示すラインＬ１と、充電中断時の電池残量を示すラインＬ２とを描画した電池残量メータ３３を表示する。該電池残量メータ３３を一見すれば、現在の電池残量に加えて、充電中断時の電池残量をも容易に知ることができる。
【００４９】
本実施形態によれば、充電が中断された時点で、何らかのアプリケーションが実行されている場合、あるいは、所定の時間内に何らかのアプリケーションが実行された場合には、アプリケーション実行終了後に、再充電を促す充電中断メッセージとともに、電池部の充電状態を表示し、充電が中断された際に、何らかのアプリケーションが実行されていない場合には、ユーザにより何らかの操作が行われた時点で、再充電を促す充電中断メッセージとともに、電池部の充電状態を表示するようにしたので、充電が中断された場合であっても、使用者の利便性を損なうことなく、使用者に充電の再開を促し、通常の使用時にバッテリ不足になることを防止することができる。
【００５０】
なお、電池残量メータ３３の表示形態は、上述した表示形態に限らず、円形状や、棒状などでもよく、現在の電池残量や、充電中断時の電池残量も、形状や、色などを変えることにより表してもよい。
【００５１】
なお、上述した実施形態においては、電子機器として携帯電話について説明したが、これに限らず、充電を必要とするデジタルカメラ、ポータブルゲーム機、メディアプレーヤ、電子ブックなどであってもよい。
【符号の説明】
【００５２】
１  携帯電話
２  蓋部
３  本体部
４  スピーカ
５  メイン表示部
６  キー部
７  マイク部
８  サブ表示部
９  アンテナ
１０  外部接続端子・充電端子部
１０−１  充電端子部
１０−２  外部接続端子
１１  電池部
２０  無線制御部
２１  メモリ部
２２  充電制御部
２３  ＣＰＵ部
【図１】
2011250652.tif 000003
【図２】
2011250652.tif 000004
【図３】
2011250652.tif 000005
【図４】
2011250652.tif 000006
【図５】
2011250652.tif 000007
【図６】
2011250652.tif 000008